(57)【要約】  音像定位効果を高めて画像や映像と音声との一体感が生じる良好な視聴状態を確保する。  表示面に画像が表示されるディスプレイと、ディスプレイの背面側に配置されたリアカバーと、ディスプレイとリアカバーの間に配置され上下に離隔して位置された上側スピーカー及び下側スピーカーとを備え、上側スピーカーから出力される音声の通過孔として機能する上側スリットがディスプレイより上側に位置され、下側スピーカーから出力される音声の通過孔として機能する下側スリットがディスプレイより下側に位置され、下側スリットにおける上下の幅が上側スリットにおける上下の幅より大きくされた。
2020137177.tif 000002
【特許請求の範囲】
【請求項１】
表示面に画像が表示されるディスプレイと、
前記ディスプレイの背面側に配置されたリアカバーと、
前記ディスプレイと前記リアカバーの間に配置され上下に離隔して位置された上側スピーカー及び下側スピーカーとを備え、
前記上側スピーカーから出力される音声の通過孔として機能する上側スリットが前記ディスプレイより上側に位置され、
前記下側スピーカーから出力される音声の通過孔として機能する下側スリットが前記ディスプレイより下側に位置され、
前記下側スリットにおける上下の幅が前記上側スリットにおける上下の幅より大きくされた
表示装置。
【請求項２】
前記上側スリット又は前記下側スリットの少なくとも一方が上下に離隔して複数形成され、
前記下側スリットの数が前記上側スリットの数より多くされた
請求項１に記載の表示装置。
【請求項３】
前記ディスプレイを外周側から覆う外枠が設けられ、
前記外枠に前記上側スリットと前記下側スリットが形成された
請求項１に記載の表示装置。
【請求項４】
前記上側スピーカーと前記下側スピーカーがそれぞれ左右に離隔して二つずつ配置された
請求項１に記載の表示装置。
【請求項５】
前記上側スピーカーの少なくとも一部が前記ディスプレイの上端部における背面側に配置され、
前記下側スピーカーの少なくとも一部が前記ディスプレイの下端部における背面側に配置された
請求項１に記載の表示装置。
【請求項６】
前記上側スピーカーの一部が前記ディスプレイより上側に位置された
請求項１に記載の表示装置。
【請求項７】
前記上側スピーカーは音声を出力する音声出力部と前記音声出力部からの音声の出力方向において前記音声出力部に対向し前記上側スリットより下側に位置する金属板とを有する
請求項６に記載の表示装置。
【請求項８】
前記上側スピーカーの金属板が上斜め前方に傾斜する状態にされた
請求項７に記載の表示装置。
【請求項９】
前記下側スピーカーの一部が前記ディスプレイより下側に位置された
請求項１に記載の表示装置。
【請求項１０】
前記下側スピーカーは音声を出力する音声出力部と前記音声出力部からの音声の出力方向において前記音声出力部に対向し前記下側スリットより上側に位置する金属板とを有する
請求項９に記載の表示装置。
【請求項１１】
前記下側スピーカーの金属板が下斜め前方に傾斜する状態にされた
請求項１０に記載の表示装置。
【請求項１２】
前記上側スピーカー及び前記下側スピーカーより音声の出力帯域が低くされた低音域スピーカーが前記ディスプレイと前記リアカバーの間に配置され、
前記低音域スピーカーが上下方向において前記上側スピーカーと前記下側スピーカーの間に位置された
請求項１に記載の表示装置。
【請求項１３】
前記上側スピーカーと前記下側スピーカーがそれぞれ左右に離隔して二つずつ配置され、
前記低音域スピーカーが上下に離隔して二つ配置された
請求項１２に記載の表示装置。
【請求項１４】
前記上側スピーカーと前記下側スピーカーがそれぞれ左右に離隔して二つずつ配置され、
前記低音域スピーカーが二つ配置され、
前記二つの低音域スピーカーがそれぞれ前記上側スピーカーと前記下側スピーカーの間に位置された
請求項１２に記載の表示装置。
【発明の詳細な説明】
【技術分野】
【０００１】
本技術は、表示面に画像が表示されるディスプレイを有しスピーカーから音声の出力が行われる表示装置についての技術分野に関する。
【背景技術】
【０００２】
テレビジョン受像器やパーソナルコンピューター等の表示装置には、画像が表示される表示面を有するディスプレイが設けられ、ディスプレイの背面側にスピーカー等が配置され、スピーカー等がリアカバーによって背面側から覆われたものがある（例えば、特許文献１参照）。【０００３】
特許文献１に記載された表示装置にあっては、ディスプレイの下端部における背面側にスピーカーが配置され、スピーカーがリアカバーによって背面側から覆われている。ディスプレイの下側にはスピーカーから出力される音声の通過孔として機能するスリットが位置され、スピーカーから出力される音声がディスプレイの下側を通ってスリットから前方へ向かう構成にされている。
【先行技術文献】
【特許文献】
【０００４】
【特許文献１】特開２００６−３１９７２３号公報
【発明の概要】
【発明が解決しようとする課題】
【０００５】
ところで、表示装置の視聴時に、使用者はディスプレイに表示される画像や映像を視認した状態で音声を聴き取るため、音声が恰も視認中のディスプレイから出力されているように認識されることが画像や映像と音声との一体感が生じ、望ましい視聴状態とされる。【０００６】
従って、ディスプレイの周囲から音声が聞こえるような認識での視聴状態は、画像や映像と音声との一体感に乏しく、使用者が画像や映像との関係において音の聞こえ方に違和感を生じ良好な音像定位を得られない可能性がある。【０００７】
そこで、本発明表示装置は、音像定位効果を高めて画像や映像と音声との一体感が生じる良好な視聴状態を確保することを目的とする。
【課題を解決するための手段】
【０００８】
第１に、本技術に係る表示装置は、表示面に画像が表示されるディスプレイと、前記ディスプレイの背面側に配置されたリアカバーと、前記ディスプレイと前記リアカバーの間に配置され上下に離隔して位置された上側スピーカー及び下側スピーカーとを備え、前記上側スピーカーから出力される音声の通過孔として機能する上側スリットが前記ディスプレイより上側に位置され、前記下側スピーカーから出力される音声の通過孔として機能する下側スリットが前記ディスプレイより下側に位置され、前記下側スリットにおける上下の幅が前記上側スリットにおける上下の幅より大きくされたものである。【０００９】
これにより、上側スピーカーから出力される音声がディスプレイより上側に位置された上側スリットを通過されると共に下側スピーカーから出力される音声がディスプレイより下側に位置され上下の幅が上側スリットにおける上下の幅より大きくされた下側スリットを通過される。【００１０】
第２に、上記した表示装置においては、前記上側スリット又は前記下側スリットの少なくとも一方が上下に離隔して複数形成され、前記下側スリットの数が前記上側スリットの数より多くされることが望ましい。【００１１】
これにより、上側スリットと下側スリットの上下の幅を変えることなく下側スリットの開口面積を上側スリットの開口面積より大きくすることが可能になる。【００１２】
第３に、上記した表示装置においては、前記ディスプレイを外周側から覆う外枠が設けられ、前記外枠に前記上側スリットと前記下側スリットが形成されることが望ましい。【００１３】
これにより、外枠によってディスプレイが外周側から覆われると共に外枠に形成された空間である上側スリットと下側スリットから音声の出力が行われる。【００１４】
第４に、上記した表示装置においては、前記上側スピーカーと前記下側スピーカーがそれぞれ左右に離隔して二つずつ配置されることが望ましい。【００１５】
これにより、上下左右に位置する上側スピーカーと下側スピーカーからそれぞれ音声が出力される。【００１６】
第５に、上記した表示装置においては、前記上側スピーカーの少なくとも一部が前記ディスプレイの上端部における背面側に配置され、前記下側スピーカーの少なくとも一部が前記ディスプレイの下端部における背面側に配置されることが望ましい。【００１７】
これにより、上側スピーカーの上側スリットに対する位置が近付くと共に下側スピーカーの下側スリットに対する位置が近付く。【００１８】
第６に、上記した表示装置においては、前記上側スピーカーの一部が前記ディスプレイより上側に位置されることが望ましい。【００１９】
これにより、上側スピーカーの全体がディスプレイより上側に位置されない。【００２０】
第７に、上記した表示装置においては、前記上側スピーカーは音声を出力する音声出力部と前記音声出力部からの音声の出力方向において前記音声出力部に対向し前記上側スリットより下側に位置する金属板とを有することが望ましい。【００２１】
これにより、上側スピーカーから出力される音声の少なくとも一部が金属板に向かうため、上側スピーカーから出力される音声が吸収され難い。【００２２】
第８に、上記した表示装置においては、前記上側スピーカーの金属板が上斜め前方に傾斜する状態にされることが望ましい。【００２３】
これにより、上側スピーカーから出力される音声の一部が金属板によって上側スリットへ向けて誘導される。【００２４】
第９に、上記した表示装置においては、前記下側スピーカーの一部が前記ディスプレイより下側に位置されることが望ましい。【００２５】
これにより、下側スピーカーの全体がディスプレイより下側に位置されない。【００２６】
第１０に、上記した表示装置においては、前記下側スピーカーは音声を出力する音声出力部と前記音声出力部からの音声の出力方向において前記音声出力部に対向し前記下側スリットより上側に位置する金属板とを有することが望ましい。【００２７】
これにより、下側スピーカーから出力される音声の少なくとも一部が金属板に向かうため、下側スピーカーから出力される音声が吸収され難い。【００２８】
第１１に、上記した表示装置においては、前記下側スピーカーの金属板が下斜め前方に傾斜する状態にされることが望ましい。【００２９】
これにより、下側スピーカーから出力される音声の一部が金属板によって下側スリットへ向けて誘導される。【００３０】
第１２に、上記した表示装置においては、前記上側スピーカー及び前記下側スピーカーより音声の出力帯域が低くされた低音域スピーカーが前記ディスプレイと前記リアカバーの間に配置され、前記低音域スピーカーが上下方向において前記上側スピーカーと前記下側スピーカーの間に位置されることが望ましい。【００３１】
これにより、低音域スピーカーから出力される音声が上下方向において上側スピーカーと下側スピーカーの間から出力されるため、低音域スピーカーから出力された音声がディスプレイの背面側を回り込んでディスプレイの表示面側に伝達される。【００３２】
第１３に、上記した表示装置においては、前記上側スピーカーと前記下側スピーカーがそれぞれ左右に離隔して二つずつ配置され、前記低音域スピーカーが上下に離隔して二つ配置されることが望ましい。【００３３】
これにより、二つの低音域スピーカーから出力される音声がディスプレイの背面側を上方と下方からそれぞれ回り込んでディスプレイの表示面側に伝達され易くなる。【００３４】
第１４に、上記した表示装置においては、前記上側スピーカーと前記下側スピーカーがそれぞれ左右に離隔して二つずつ配置され、前記低音域スピーカーが二つ配置され、前記二つの低音域スピーカーがそれぞれ前記上側スピーカーと前記下側スピーカーの間に位置されることが望ましい。【００３５】
これにより、左右の一方の上側スピーカーと低音域スピーカーと下側スピーカーから右チャンネルの音声が出力され、他方の上側スピーカーと低音域スピーカーと下側スピーカーから左チャンネルの音声が出力され、ステレオモードの音声出力が行われるようにすることが可能になる。
【図面の簡単な説明】
【００３６】
【図１】図２乃至図１５と共に本技術表示装置を示すものであり、本図は、表示装置の正面側を示す斜視図である。
【図２】表示装置の背面側を示す斜視図である。
【図３】リアカバーを取り外して示す表示装置の背面図である。
【図４】表示装置の上端側を示す断面図である。
【図５】表示装置の下端側を示す断面図である。
【図６】第１のスピーカーの斜視図である。
【図７】第２のスピーカーの斜視図である。
【図８】外枠の上部を示す正面図である。
【図９】外枠の上部を示す断面図である。
【図１０】外枠の上部と上側スピーカーとの位置関係を示す正面図である。
【図１１】外枠の下部を示す正面図である。
【図１２】外枠の下部を示す断面図である。
【図１３】外枠の下部と下側スピーカーとの位置関係を示す正面図である。
【図１４】低音域スピーカーの別の配置状態を示す背面図である。
【図１５】低音域スピーカーのまた別の配置状態を示す背面図である。
【発明を実施するための形態】
【００３７】
以下に、本技術表示装置を実施するための形態を添付図面に従って説明する。
【００３８】
以下に示した実施の形態は、本技術表示装置を、ディスプレイに画像を表示するテレビジョン受像器に適用したものである。
【００３９】
尚、本技術の適用範囲はテレビジョン受像器に限られることはなく、パーソナルコンピューター等に用いられるモニター等の各種の表示装置に広く適用することができる。
【００４０】
以下の説明にあっては、表示装置（テレビジョン受像器）の表示面が向く方向を前方側（正面側）として前後上下左右の方向を示す。
【００４１】
＜表示装置の構成＞
表示装置（テレビジョン受像器）１は、例えば、横長で前後方向の厚みが薄い略矩形状に形成され（図１及び図２参照）、例えば、スタンド２によって床面等の設置面に設置されたり図示しないブラケット等によって壁面に取り付けられて用いられる。
【００４２】
表示装置１は画像が表示されるディスプレイ３とディスプレイ３の後方に配置されたバックシャーシ４とディスプレイ３及びバックシャーシ４の外周側に配置されたベゼルと称される外枠５とバックシャーシ４等を後方から覆うリアカバー６とを有している（図１乃至図５参照）。
【００４３】
ディスプレイ３は前後方向を向く板状に形成され、ディスプレイ３としては、例えば、液晶ディスプレイが用いられている。ディスプレイ３は基板や偏光フィルム等の光学シートを有している。ディスプレイ３の前面は画像が表示される表示面３ａとされている（図１参照）。
【００４４】
バックシャーシ４は、例えば、金属材料や樹脂材料等によって形成され、ディスプレイ３の後方に配置されている（図３乃至図５参照）。
【００４５】
ディスプレイ３とバックシャーシ４の間にはホルダー７とブラケット８が配置されている（図４及び図５参照）。ホルダー７は矩形の枠状部７ａと枠状部７ａの前端部から内方に張り出されたフランジ状の押さえ部７ｂとを有している。ブラケット８は矩形の枠状に形成されたベース部８ａとベース部８ａの前端寄りの部分から内方に張り出されたフランジ状の保持部８ｂとベース部８ａの後端部から内方に張り出されたフランジ状の取付部８ｃとを有している。
【００４６】
ホルダー７の枠状部７ａとブラケット８の保持部８ｂとは前後で結合されている。押さえ部７ｂの前面にはディスプレイ３の外周部が接合されている。
【００４７】
ディスプレイ３とバックシャーシ４の間には拡散板９が配置されている。拡散板９は外周部がホルダー７の押さえ部７ｂとブラケット８の保持部８ｂとによって前後から挟持された状態で保持されている。
【００４８】
ブラケット８には素子搭載基板１０が取り付けられ、素子搭載基板１０の前面にはバックライトとして機能する発光ダイオード等の複数の発光素子１１、１１、・・・がマトリクス状に搭載されている。発光素子１１、１１、・・・から出射された光は拡散板９によって拡散されてディスプレイ３に背面側からバックライト光として入射される。
【００４９】
バックシャーシ４は略前後方向を向く平板状に形成され、外形状がブラケット８の外形状より小さくされている。バックシャーシ４は外周部がブラケット８における取付部８ｃの後面に取り付けられている。
【００５０】
バックシャーシ４の後面には各種の制御基板１２、１２、・・・が取り付けられている（図３参照）。制御基板１２としては、例えば、表示装置１の全体の電源制御を行う電源基板、発光素子１１の点消灯制御を行うバックライト用基板、画像や音声等の制御を行う信号処理基板、ディスプレイ３の表示制御を行う制御基板等が設けられている。
【００５１】
バックシャーシ４の後面における上端部には上側スピーカー１３、１３が左右に離隔して取り付けられている。尚、上側スピーカー１３の数は任意であり、一つでもよく、三つ以上であってもよい。上側スピーカー１３は、例えば、ダイナミック型のスピーカーであり、ケース体１４と音声出力部１５、１５、１５と金属板１６を有している。
【００５２】
上側スピーカー１３、１３は表示装置１の左右方向における中央線を基準として、例えば、左右対称な位置に配置されている。
【００５３】
ケース体１４は横長の略矩形状に形成され、前後方向が厚み方向にされ、厚みが上下左右の幅より小さくされている（図４及び図６参照）。ケース体１４の上端部には前方及び上方に開口する浅い凹部１４ａが形成されている。
【００５４】
ケース体１４は内部空間が配置空間として形成され、前面部１７に前後に貫通された、例えば、三つの配置孔１７ａ、１７ａ、１７ａが左右に離隔して形成されている。配置孔１７ａ、１７ａ、１７ａは凹部１４ａが形成された部分に位置されている。
【００５５】
配置孔１７ａ、１７ａ、１７ａにはそれぞれ音声出力部１５、１５、１５の各前端部が配置され、音声出力部１５、１５、１５は前端部以外の部分が配置空間に配置されている。音声出力部１５、１５、１５は振動板やコイルボビン等を有するスピーカーユニットであり、例えば、一つの音声出力部１５が高音の再生帯域にされたツイーターとして設けられ、他の二つの音声出力部１５、１５が中音の再生帯域にされたミッドレンジ用として設けられ、上側スピーカー１３は全体として、例えば、高音域から中低音域の音声を出力するフルレンジ用のスピーカーとされている。
【００５６】
ケース体１４には前面部１７からそれぞれ前方に突出された突部１８、１８と突部１８、１８を連結し左右に延びる橋渡部１９とが設けられている。突部１８、１８は前面部１７の上端寄りの部分における左右両端部からそれぞれ突出され、橋渡部１９は左右両端部が突部１８、１８の前端部に連続されている。従って、橋渡部１９は凹部１４ａの前側において前面部１７と前後で離隔して位置されている。
【００５７】
橋渡部１９の前面にはクッション２０が貼り付けられている。
【００５８】
金属板１６は凹部１４ａの上端部を除いた部分を前方から覆う状態でケース体１４に取り付けられている。金属板１６は上端部が橋渡部１９の後面に固定され下端部が前面部１７における凹部１４ａの下端部に固定され、上端が下端より前側に位置された状態で上斜め前方に傾斜されている。ケース体１４に金属板１６が取り付けられることにより、音声出力部１５、１５、１５の上端部を除いた部分が金属板１６によって前方から覆われている。
【００５９】
上側スピーカー１３はクッション２０がバックシャーシ４の後面に押し付けられた状態でバックシャーシ４に取り付けられている。このように上側スピーカー１３がクッション２０を介してバックシャーシ４に取り付けられることにより、ケース体１４がバックシャーシ４に対してシーリング性能と保持性能が有効な状態にされ、上側スピーカー１３における良好な音響特性を確保することができる。
【００６０】
また、上側スピーカー１３は金属板１６より上側に位置する部分がブラケット８より上側に位置する状態でバックシャーシ４に取り付けられている。従って、上側スピーカー１３、１３は一部がディスプレイ３より上側に位置されている。
【００６１】
音声出力部１５、１５、１５からは音声が前方へ向けて出力され、前方へ向けて出力された音声の一部は傾斜した状態で配置された金属板１６によって上方側へ反射され、上方から前方へ向かう。
【００６２】
バックシャーシ４の後面における下端部には下側スピーカー２１、２１が左右に離隔して取り付けられている（図３参照）。尚、下側スピーカー２１の数は任意であり、一つでもよく、三つ以上であってもよい。下側スピーカー２１は、例えば、ダイナミック型のスピーカーであり、ケース体２２と音声出力部２３、２３、２３と金属板２４を有している。
【００６３】
下側スピーカー２１、２１は表示装置１の左右方向における中央線を基準として、例えば、左右対称な位置に配置され、それぞれ上側スピーカー１３、１３の真下に位置されている。
【００６４】
ケース体２２は横長の略矩形状に形成され、前後方向が厚み方向にされ、厚みが上下左右の幅より小さくされている（図５及び図７参照）。ケース体２２の下端部には前方及び下方に開口する浅い凹部２２ａが形成されている。
【００６５】
ケース体２２は内部空間が配置空間として形成され、前面部２５に前後に貫通された、例えば、三つの配置孔２５ａ、２５ａ、２５ａが左右に離隔して形成されている。配置孔２５ａ、２５ａ、２５ａは凹部２２ａが形成された部分に位置されている。
【００６６】
配置孔２５ａ、２５ａ、２５ａにはそれぞれ音声出力部２３、２３、２３の各前端部が配置され、音声出力部２３、２３、２３は前端部以外の部分が配置空間に配置されている。音声出力部２３、２３、２３は振動板やコイルボビン等を有するスピーカーユニットであり、例えば、一つの音声出力部２３が高音の再生帯域にされたツイーターとして設けられ、他の二つの音声出力部２３、２３が中音の再生帯域にされたミッドレンジ用として設けられ、下側スピーカー２１は全体として、例えば、高音域から中低音域の音声を出力するフルレンジ用のスピーカーとされている。但し、下側スピーカー２１における音声の出力帯域は、少なくとも低音側が上側スピーカー１３における音声の出力帯域より低くされている。
【００６７】
ケース体２２には前面部２５からそれぞれ前方に突出された突部２６、２６と突部２６、２６を連結し左右に延びる橋渡部２７とが設けられている。突部２６、２６は前面部２５の下端寄りの部分における左右両端部からそれぞれ突出され、橋渡部２７は左右両端部が突部２６、２６の前端部に連続されている。従って、橋渡部２７は凹部２２ａの前側において前面部２５と前後で離隔して位置されている。
【００６８】
橋渡部２７の前面にはクッション２８が貼り付けられている。
【００６９】
金属板２４は凹部２２ａの下端部を除いた部分を前方から覆う状態でケース体２２に取り付けられている。金属板２４は下端部が橋渡部２７の後面に固定され上端部が前面部２５における凹部２２ａの上端部に固定され、上端と下端が前後方向において同じ位置に存在するように前後方向を向く垂直な状態で配置されている。ケース体２２に金属板２４が取り付けられることにより、音声出力部２３、２３、２３の下端部を除いた部分が金属板２４によって前方から覆われている。
【００７０】
下側スピーカー２１はクッション２８がバックシャーシ４の後面に押し付けられた状態でバックシャーシ４に取り付けられている。このように下側スピーカー２１がクッション２８を介してバックシャーシ４に取り付けられることにより、ケース体２２がバックシャーシ４に対してシーリング性能と保持性能が有効な状態にされ、下側スピーカー２１における良好な音響特性を確保することができる。
【００７１】
また、下側スピーカー２１は金属板２４より下側に位置する部分がブラケット８より下側に位置する状態でバックシャーシ４に取り付けられている。従って、下側スピーカー２１、２１は一部がディスプレイ３より下側に位置されている。
【００７２】
音声出力部２３、２３、２３からは音声が前方へ向けて出力され、前方へ向けて出力された音声の一部は垂直な状態で配置された金属板２４によって反射され、下方から前方へ向かう。
【００７３】
バックシャーシ４の後面における上端寄りの位置と下端寄りの位置とにはそれぞれ低音域スピーカー２９、２９が上下に離隔して取り付けられている（図３参照）。尚、低音域スピーカー２９の数は任意であり、一つでもよく、三つ以上であってもよい。低音域スピーカー２９は、例えば、ダイナミック型のスピーカーである。低音域スピーカー２９、２９は表示装置１の左右方向における中央部に配置され、上下方向において上側スピーカー１３、１３と下側スピーカー２１、２１の間に位置され、左右方向において上側スピーカー１３、１３間及び下側スピーカー２１、２１間に位置されている。
【００７４】
低音域スピーカー２９は、例えば、低音の再生帯域にされたウーハーとして設けられ、再生帯域が上側スピーカー１３と下側スピーカー２１より低くされている。低音域スピーカー２９には、例えば、二つの音声出力部２９ａ、２９ａが設けられ、低音域スピーカー２９は、例えば、音声出力部２９ａ、２９ａが左右に並ぶ状態でバックシャーシ４に取り付けられている。
【００７５】
低音域スピーカー２９は図示しないクッションがバックシャーシ４の後面に押し付けられた状態でバックシャーシ４に取り付けられており、良好な音響特性が確保されている。低音域スピーカー２９、２９からは音声が後方へ向けて出力され、後方へ向けて出力された音声は、主として、ディスプレイ３の上方又は下方を回り込んで前方へ向かう。
【００７６】
上記したように、上側スピーカー１３と下側スピーカー２１はそれぞれ二つずつ設けられており、一方の上側スピーカー１３と一方の下側スピーカー２１から右チャンネルの音声が出力され、他方の上側スピーカー１３と他方の下側スピーカー２１から左チャンネルの音声が出力され、右側の音声と左側の音声とによってステレオモードの音声出力が行われる。但し、上側スピーカー１３、１３と下側スピーカー２１、２１からモノラルモードの音声出力が行われてもよい。
【００７７】
一方、低音域スピーカー２９、２９からはモノラルの同一の音声が出力される。但し、低音域スピーカー２９、２９についてもそれぞれ右チャンネルの音声と左チャンネルの音声とが出力され、ステレオモードの音声出力が行われてもよい。
【００７８】
尚、低音域スピーカー２９、２９からはモノラルの同一の音声が出力されるため、低音域スピーカー２９、２９は可能な限り近付けて配置されることが望ましいが、低音域スピーカー２９、２９から出力される音声はそれぞれ、主として、ディスプレイ３の上側と下側を回り込んで前方へ向かうため、回り込み易さを考慮すると、可能な限り上端側又は下端側に配置されることが望ましい。
【００７９】
そこで、上記したように、低音域スピーカー２９、２９をバックシャーシ４の上端寄りの位置と下端寄りの位置とにそれぞれ取り付けて配置することにより、モノラルの同一の音声を聞き取り易くすることができると共に低音域スピーカー２９、２９から出力される音声がそれぞれディスプレイ３の上側と下側から回り込み易くなり前方への音声の良好な出力状態を確保することができる。
【００８０】
外枠５は上部３０と下部３１と側部３２、３２が枠状に結合されて構成され、ディスプレイ３やバックシャーシ４を外周側から覆う状態で配置されている（図１乃至図５参照）。上部３０と下部３１はそれぞれ左右に延びる形状に形成され、側部３２、３２は上下に延びる形状に形成されている。
【００８１】
上部３０は下側に位置された第１の部分３３と第１の部分３３の上側に位置された第２の部分３４とが、例えば、アルミニウム等の金属材料によって一体に形成されて成る（図８及び図９参照）。
【００８２】
第１の部分３３は上下方向を向く天板部３５と天板部３５の前端部から下方に突出され前後方向を向く前板部３６と天板部３５の後端部から下方に突出され前後方向を向く後板部３７と前板部３６からそれぞれ前方に突出された庇部３８、３８、３８とを有している。庇部３８、３８、３８は上下に離隔して設けられ、最も上側の庇部３８が前板部３６の上端部から前方に突出されている。
【００８３】
第２の部分３４は上下方向を向く上面部３９と上面部３９の前端部から下方に突出され前後方向を向く前面部４０と前面部４０からそれぞれ前方に突出されたフィン４１、４１、４１とを有している。前面部４０の下端部は天板部３５における後端寄りの部分に連続されている。フィン４１、４１、４１は、例えば、三つが設けられ、フィン４１、４１、４１間の間隔は同じにされ、最も下側に位置されたフィン４１と天板部３５の間の間隔もフィン４１、４１、４１間の間隔と同じにされている。
【００８４】
前面部４０には前後に貫通された音声通過孔４０ａ、４０ａ、・・・が形成されている。音声通過孔４０ａは上側スピーカー１３、１３の前側において左右に並んで三つずつが形成されている。音声通過孔４０ａは上面部３９と天板部３５の間に位置されている。音声通過孔４０ａの前側の空間は上下方向においてフィン４１、４１、４１と天板部３５によって三つの部分に仕切られ、この仕切られた三つの部分が上側スリット４２、４２、４２として形成されている。
【００８５】
上部３０は前板部３６がディスプレイ３の外周部を前方から覆い天板部３５がホルダー７とブラケット８を上方から覆う状態で配置され、後板部３７が、例えば、ブラケット８の取付部８ｃに取り付けられる（図４参照）。バックシャーシ４の後面に取り付けられた上側スピーカー１３、１３は上面部３９によって上方から覆われ、上側スピーカー１３における音声出力部１５、１５、１５の上端部の前側に音声通過孔４０ａと上側スリット４２、４２、４２が位置される（図４及び図１０参照）。
【００８６】
従って、音声出力部１５、１５、１５から前方へ向けて出力された音声は、傾斜した状態で配置された金属板１６によって上方側へ反射されて上方から前方へ向かい、又は、金属板１６の上側を通って前方へ向かい、音声通過孔４０ａと上側スリット４２、４２、４２を通過されディスプレイ３の上側を回り込んで前方に放出される（図４に示す矢印Ｐ参照）。
【００８７】
下部３１は上側に位置された第１の部分４３と第１の部分４３の下側に位置された第２の部分４４とが、例えば、アルミニウム等の金属材料によって一体に形成されて成る（図１１及び図１２参照）。
【００８８】
第１の部分４３は上下方向を向く底板部４５と底板部４５の前端部から上方に突出され前後方向を向く前板部４６と底板部４５の後端部から上方に突出され前後方向を向く後板部４７と前板部４６からそれぞれ前方に突出された庇部４８、４８、４８とを有している。庇部４８、４８、４８は上下に離隔して設けられ、最も下側の庇部４８が前板部４６の下端部から前方に突出されている。
【００８９】
第２の部分４４は上下方向を向く下面部４９と下面部４９の前端部から上方に突出され前後方向を向く前面部５０と前面部５０からそれぞれ前方に突出されたフィン５１、５１、・・・とを有している。前面部５０の上端部は底板部４５における後端寄りの部分に連続されている。フィン５１、５１、・・・は、例えば、四つが設けられ、フィン５１、５１、・・・間の間隔は同じにされ、最も上側に位置されたフィン５１と底板部４５の間の間隔もフィン５１、５１、・・・間の間隔と同じにされている。
【００９０】
前面部５０には前後に貫通された音声通過孔５０ａ、５０ａ、・・・が形成されている。音声通過孔５０ａは下側スピーカー２１、２１の前側において左右に並んで三つずつが形成されている。音声通過孔５０ａは下面部４９と底板部４５の間に位置されている。音声通過孔５０ａの前側の空間は上下方向においてフィン５１、５１、・・・と底板部４５によって四つの部分に仕切られ、この仕切られた四つの部分が下側スリット５２、５２、・・・として形成されている。
【００９１】
下部３１は前板部４６がディスプレイ３の外周部を前方から覆い底板部４５がホルダー７とブラケット８を下方から覆う状態で配置され、後板部４７が、例えば、ブラケット８の取付部８ｃに取り付けられる（図５参照）。バックシャーシ４の後面に取り付けられた下側スピーカー２１、２１は下面部４９によって下方から覆われ、下側スピーカー２１における音声出力部２３、２３、２３の下端部の前側に下側スリット５２、５２、・・・が位置される（図５及び図１１参照）。
【００９２】
従って、音声出力部２３、２３、２３から前方へ向けて出力された音声は、金属板２４によって反射されて下方から前方へ向かい、又は、金属板２４の下側を通って前方へ向かい、音声通過孔５０ａと下側スリット５２、５２、・・・を通過されディスプレイ３の下側を回り込んで前方に放出される（図５に示す矢印Ｑ参照）。
【００９３】
上記した上側スピーカー１３と下側スピーカー２１においては、下側スピーカー２１における下側スリット５２の上下の幅Ｂが上側スピーカー１３における上側スリット４２の上下の幅Ａより大きくされている（図９及び図１２参照）。また、下側スリット５２は四つが形成され、上側スリット４２は三つが形成されており、下側スリット５２の数が上側スリット４２の数より多くされている。
【００９４】
尚、上側スリット４２と下側スリット５２の数はそれぞれ少なくとも一つ形成されていれば任意であり、下側スリット５２の数が上側スリット４２の数より多くされていることが望ましい。
【００９５】
上記したように、表示装置１にあっては、上側スピーカー１３から出力される音声がディスプレイ３より上側に位置された上側スリット４２を通過されると共に下側スピーカー２１から出力される音声がディスプレイ３より下側に位置され上下の幅Ｂが上側スリット４２における上下の幅Ａより大きくされた下側スリット５２を通過される。
【００９６】
従って、上下の幅Ｂが上側スリット４２における上下の幅Ａより大きくされた下側スリット５２を下側スピーカー２１から出力された音声が通過されて前方へ向けて放出されるため、低位置からの音声の安定した出力状態が確保される。また、上側スピーカー１３から出力された音声が上側から上側スリット４２を通過されて前方へ向けて放出され、下側スピーカー２１から出力された音声が下側から下側スリット５２を通過されて前方へ向けて放出されるため、ディスプレイ３の中央部に音像が定位され易くなり、恰も視認中のディスプレイ３の中央部から音声が出力されているように認識され、使用者（視認者）において画像や映像と音声との一体感を認識した状態で視聴することが可能になる。
【００９７】
側部３２、３２はディスプレイ３やバックシャーシ４等の左右に位置され、上端部が上部３０の左右両端部に結合され、下端部が下部３１の左右両端部に結合される（図１乃至図３参照）。
【００９８】
リアカバー６は略前後方向を向く平板状の閉塞面部５３と閉塞面部５３の外周部から前方に突出された枠状の結合部５４とを有している（図２、図４及び図５参照）。閉塞面部５３には音声出力孔５３ａ、５３ａが上下に離隔して形成されている。
【００９９】
リアカバー６は結合部５４が外枠５における後端部の内周面に結合される。従って、バックシャーシ４に取り付けられた制御基板１２、１２、・・・や上側スピーカー１３、１３や下側スピーカー２１、２１や低音域スピーカー２９、２９等の各部がリアカバー６によって後方から覆われる。
【０１００】
リアカバー６が外枠５に結合された状態においては、閉塞面部５３の音声出力孔５３ａ、５３ａがそれぞれ低音域スピーカー２９、２９の真後ろに位置される。従って、低音域スピーカー２９、２９から後方へ向けて出力された音声は、音声出力孔５３ａ、５３ａを通り、主として、上方と下方へ向かいディスプレイ３の上側と下側を回り込んで前方に放出される。
【０１０１】
＜まとめ＞
以上に記載した通り、表示装置１にあっては、ディスプレイ３とリアカバー６の間に配置され上下に離隔して位置された上側スピーカー１３と下側スピーカー２１を備え、上側スピーカー１３から出力される音声の通過孔として機能する上側スリット４２がディスプレイ３より上側に位置され、下側スピーカー２１から出力される音声の通過孔として機能する下側スリット５２がディスプレイ３より下側に位置され、下側スリット５２における上下の幅Ｂが上側スリット４２における上下の幅Ａより大きくされている。
【０１０２】
従って、上側スピーカー１３から出力される音声がディスプレイ３より上側に位置された上側スリット４２を通過されると共に下側スピーカー２１から出力される音声がディスプレイ３より下側に位置され上下の幅Ｂが上側スリット４２における上下の幅Ａより大きくされた下側スリット５２を通過される。これにより、低位置からの音声の安定した出力状態が確保された状態でディスプレイ３の中央部に音像が定位され、画像や映像と音声との一体感が生じる良好な視聴状態を確保することができる。
【０１０３】
また、恰も視認中のディスプレイ３から音声が出力されているように認識されるため、音像定位効果を高めて画像や映像と音声との一体感が生じる良好な視聴状態を確保することができる。
【０１０４】
特に、ディスプレイ３を回り込んだ上側スピーカー１３から出力された音声とディスプレイ３を回り込んだ下側スピーカー２１から出力された音声とが、使用者において恰も視認中のディスプレイ３の中央部から出力されているように認識され易くなり、画像や映像と音声との一体感により臨場感のある視聴状態を確保することができる。
【０１０５】
また、下側スリット５２、５２、・・・の数が上側スリット４２、４２、４２の数より多くされている。
【０１０６】
従って、上側スリット４２、４２、４２と下側スリット５２、５２、・・・の上下の幅を変えることなく下側スリット５２、５２、・・・の開口面積を上側スリット４２、４２、４２の開口面積より大きくすることが可能になり、低位置からの音声の安定した出力状態が確保され、使用者において良好な視聴状態を確保することができる。
【０１０７】
特に、下側スリット５２、５２、・・・の全体の開口面積を上側スリット４２、４２、４２の全体の開口面積より大きくすることにより、下側スピーカー２１から出力される音声を下側スリット５２、５２、・・・から高い音圧で放出することが可能になり、低位置からの音声の安定した出力状態を確保することができる。
【０１０８】
さらに、ディスプレイ３を外周側から覆う外枠５に上側スリット４２と下側スリット５２が形成されている。
【０１０９】
従って、外枠５によってディスプレイ３が外周側から覆われると共に外枠５に形成された空間である上側スリット４２と下側スリット５２から音声の出力が行われるため、専用の部材を設けて上側スリット４２と下側スリット５２を形成する必要がなく、部品点数の削減による構造の簡素化を図ることができる。
【０１１０】
さらにまた、上側スピーカー１３と下側スピーカー２１がそれぞれ左右に離隔して二つずつ配置されている。
【０１１１】
従って、上下左右に位置する上側スピーカー１３、１３と下側スピーカー２１、２１からそれぞれ音声が出力されるため、高位置及び低位置からの音声の安定した出力状態が確保され、使用者においてより良好な視聴状態を確保することができる。また、ステレオ音声を出力することが可能になり、使用者において臨場感のある視聴状態を確保することができる。
【０１１２】
また、上側スピーカー１３、１３の少なくとも一部がディスプレイ３の上端部における背面側に配置され、下側スピーカー２１、２１の少なくとも一部がディスプレイ３の下端部における背面側に配置されている。
【０１１３】
従って、上側スピーカー１３、１３の上側スリット４２、４２、４２に対する位置が近付くと共に下側スピーカー２１、２１の下側スリット５２、５２、・・・に対する位置が近付くため、上側スピーカー１３、１３から出力される音声と下側スピーカー２１、２１から出力される音声に関し他の部品との干渉が生じ難く、音声の安定した出力状態を確保することができる。
【０１１４】
さらに、上側スピーカー１３、１３の一部がディスプレイ３より上側に位置されている。
【０１１５】
従って、上側スピーカー１３、１３の全体がディスプレイ３より上側に位置されないため、上側スピーカー１３、１３からの音声の良好な出力状態を確保した上で表示装置１の上下方向における小型化を図ることができる。
【０１１６】
さらにまた、上側スピーカー１３は音声を出力する音声出力部１５、１５、１５と音声出力部１５、１５、１５からの音声の出力方向において音声出力部１５、１５、１５に対向し上側スリット４２より下側に位置する金属板１６とを有している。
【０１１７】
従って、上側スピーカー１３から出力される音声の少なくとも一部が金属板１６に向かうため、上側スピーカー１３から出力される音声が吸収され難く、上側スピーカー１３からの音声の良好な出力状態を確保することができる。
【０１１８】
また、上側スピーカー１３の金属板１６が上斜め前方に傾斜する状態にされている。
【０１１９】
従って、上側スピーカー１３から出力される音声の一部が金属板１６によって上側スリット４２へ向けて誘導されるため、音声の吸収を抑制した状態で上側スピーカー１３からの音声の良好な出力状態を確保することができる。
【０１２０】
さらに、下側スピーカー２１、２１の一部がディスプレイ３より下側に位置されている。
【０１２１】
従って、下側スピーカー２１、２１の全体がディスプレイ３より下側に位置されないため、下側スピーカー２１、２１からの音声の良好な出力状態を確保した上で表示装置１の上下方向における小型化を図ることができる。
【０１２２】
さらにまた、下側スピーカー２１は音声を出力する音声出力部２３、２３、２３と音声出力部２３、２３、２３からの音声の出力方向において音声出力部２３、２３、２３に対向し下側スリット５２より上側に位置する金属板２４とを有している。
【０１２３】
従って、下側スピーカー２１から出力される音声の少なくとも一部が金属板２４に向かうため、下側スピーカー２１から出力される音声が吸収され難く、下側スピーカー２１からの音声の良好な出力状態を確保することができる。
【０１２４】
尚、上記には、下側スピーカー２１の金属板２４が垂直な状態で配置された例を示したが、金属板２４は下斜め前方に傾斜する状態にされていてもよい。
【０１２５】
金属板２４が下斜め前方に傾斜する状態にされることにより、下側スピーカー２１から出力される音声の一部が金属板２４によって下側スリット５２へ向けて誘導されるため、音声の吸収を抑制した状態で下側スピーカー２１からの音声の良好な出力状態を確保することができる。
【０１２６】
また、上側スピーカー１３及び下側スピーカー２１より音声の出力帯域が低くされた低音域スピーカー２９がディスプレイ３とリアカバー６の間に配置され、低音域スピーカー２９が上下方向において上側スピーカー１３と下側スピーカー２１の間に位置されている。
【０１２７】
従って、低音域スピーカー２９から出力される音声が上下方向において上側スピーカー１３と下側スピーカー２１の間から出力されるため、低音域スピーカー２９から出力された音声がディスプレイ３の背面側を回り込んでディスプレイ３の表示面３ａ側に伝達され、上側スピーカー１３と下側スピーカー２１と低音域スピーカー２９から音声が良好なバランスで出力され、使用者において臨場感のある視聴状態を確保することができる。
【０１２８】
さらに、上側スピーカー１３と下側スピーカー２１がそれぞれ左右に離隔して二つずつ配置され、低音域スピーカー２９が上下に離隔して二つ配置されている。
【０１２９】
従って、二つの低音域スピーカー２９、２９から出力される音声がディスプレイ３の背面側を上方と下方からそれぞれ回り込んでディスプレイ３の表示面３ａ側に伝達され易くなり、それぞれ二つずつの上側スピーカー１３、１３と下側スピーカー２１、２１と低音域スピーカー２９、２９から音声が良好なバランスで出力され、使用者においてより臨場感のある視聴状態を確保することができる。
【０１３０】
＜その他＞
上記には、低音域スピーカー２９の音声出力部２９ａ、２９ａが左右に並ぶ状態にされた例を示したが、低音域スピーカー２９は、例えば、音声出力部２９ａ、２９ａが上下に並ぶ状態でバックシャーシ４に取り付けられていてもよい（図１４参照）。この場合に二つの低音域スピーカー２９、２９が、バックシャーシ４の上端側において左右に離隔して取り付けられていてもよく、また、バックシャーシ４の下端側又は上下方向における中央部において左右に離隔して取り付けられていてもよい。
【０１３１】
このように低音域スピーカー２９の音声出力部２９ａ、２９ａを上下又は左右に並ぶ位置にしたり、低音域スピーカー２９、２９の配置位置を左右に並べた位置にすることにより、バックシャーシ４に取り付けられる制御基板１２、１２、・・・等の他の部材との位置に応じてスペースの有効活用を図ることが可能になり、表示装置１の設計の自由度の向上及び小型化を図ることができる。
【０１３２】
また、低音域スピーカー２９、２９がそれぞれ上下方向において上側スピーカー１３、１３と下側スピーカー２１、２１の間に位置されていてもよい（図１５参照）。
【０１３３】
このような配置状態においては、左右の一方の上側スピーカー１３と低音域スピーカー２９と下側スピーカー２１から右チャンネルの音声が出力され、他方の上側スピーカー１３と低音域スピーカー２９と下側スピーカー２１から左チャンネルの音声が出力され、ステレオモードの音声出力が行われるようにすることが可能になる。
【０１３４】
従って、各チャンネルの音の一体感が高くなり、ステレオモードにおける良好な音声の出力状態を確保することが可能になり、使用者において臨場感のある視聴状態を確保することができる。
【０１３５】
＜本技術＞
本技術は、以下のような構成にすることもできる。
【０１３６】
（１）
表示面に画像が表示されるディスプレイと、
前記ディスプレイの背面側に配置されたリアカバーと、
前記ディスプレイと前記リアカバーの間に配置され上下に離隔して位置された上側スピーカー及び下側スピーカーとを備え、
前記上側スピーカーから出力される音声の通過孔として機能する上側スリットが前記ディスプレイより上側に位置され、
前記下側スピーカーから出力される音声の通過孔として機能する下側スリットが前記ディスプレイより下側に位置され、
前記下側スリットにおける上下の幅が前記上側スリットにおける上下の幅より大きくされた
表示装置。
【０１３７】
（２）
前記上側スリット又は前記下側スリットの少なくとも一方が上下に離隔して複数形成され、
前記下側スリットの数が前記上側スリットの数より多くされた
前記（１）に記載の表示装置。
【０１３８】
（３）
前記ディスプレイを外周側から覆う外枠が設けられ、
前記外枠に前記上側スリットと前記下側スリットが形成された
前記（１）又は前記（２）に記載の表示装置。
【０１３９】
（４）
前記上側スピーカーと前記下側スピーカーがそれぞれ左右に離隔して二つずつ配置された
前記（１）から前記（３）の何れかに記載の表示装置。
【０１４０】
（５）
前記上側スピーカーの少なくとも一部が前記ディスプレイの上端部における背面側に配置され、
前記下側スピーカーの少なくとも一部が前記ディスプレイの下端部における背面側に配置された
前記（１）から前記（４）の何れかに記載の表示装置。
【０１４１】
（６）
前記上側スピーカーの一部が前記ディスプレイより上側に位置された
前記（１）から前記（５）の何れかに記載の表示装置。
【０１４２】
（７）
前記上側スピーカーは音声を出力する音声出力部と前記音声出力部からの音声の出力方向において前記音声出力部に対向し前記上側スリットより下側に位置する金属板とを有する
前記（６）に記載の表示装置。
【０１４３】
（８）
前記上側スピーカーの金属板が上斜め前方に傾斜する状態にされた
前記（７）に記載の表示装置。
【０１４４】
（９）
前記下側スピーカーの一部が前記ディスプレイより下側に位置された
前記（１）から前記（８）の何れかに記載の表示装置。
【０１４５】
（１０）
前記下側スピーカーは音声を出力する音声出力部と前記音声出力部からの音声の出力方向において前記音声出力部に対向し前記下側スリットより上側に位置する金属板とを有する
前記（９）に記載の表示装置。
【０１４６】
（１１）
前記下側スピーカーの金属板が下斜め前方に傾斜する状態にされた
前記（１０）に記載の表示装置。
【０１４７】
（１２）
前記上側スピーカー及び前記下側スピーカーより音声の出力帯域が低くされた低音域スピーカーが前記ディスプレイと前記リアカバーの間に配置され、
前記低音域スピーカーが上下方向において前記上側スピーカーと前記下側スピーカーの間に位置された
前記（１）から前記（１１）の何れかに記載の表示装置。
【０１４８】
（１３）
前記上側スピーカーと前記下側スピーカーがそれぞれ左右に離隔して二つずつ配置され、
前記低音域スピーカーが上下に離隔して二つ配置された
前記（１２）に記載の表示装置。
【０１４９】
（１４）
前記上側スピーカーと前記下側スピーカーがそれぞれ左右に離隔して二つずつ配置され、
前記低音域スピーカーが二つ配置され、
前記二つの低音域スピーカーがそれぞれ前記上側スピーカーと前記下側スピーカーの間に位置された
前記（１２）に記載の表示装置。
【符号の説明】
【０１５０】
１…表示装置、３…ディスプレイ、３ａ…表示面、５…外枠、６…リアカバー、１３…上側スピーカー、１５…音声出力部、１６…金属板、２１…下側スピーカー、２３…音声出力部、２４…金属板、２９…低音域スピーカー、４２…上側スリット、５２ａ…下側スリット
【図１】
2020137177.tif 000003
【図２】
2020137177.tif 000004
【図３】
2020137177.tif 000005
【図４】
2020137177.tif 000006
【図５】
2020137177.tif 000007
【図６】
2020137177.tif 000008
【図７】
2020137177.tif 000009
【図８】
2020137177.tif 000010
【図９】
2020137177.tif 000011
【図１０】
2020137177.tif 000012
【図１１】
2020137177.tif 000013
【図１２】
2020137177.tif 000014
【図１３】
2020137177.tif 000015
【図１４】
2020137177.tif 000016
【図１５】
2020137177.tif 000017
【国際調査報告】
2020137177.tif 000018
2020137177.tif 000019